(57)【要約】  【課題】椅子において、着座者が腰をかける座部の奥の領域が有効に利用されていないという課題を解決する。  【解決手段】座部２１を有する椅子本体１と、この椅子本体１を支持する脚体２とを具備した椅子Ｃに、前記椅子本体１が、前記座部２１と、この座部２１の奥側に配された付加機能部４とを備え、前記付加機能部４が、椅子本来の機能とは異なった付加的機能を発揮する付加機能要素たる天板２５及びコンセント装置２７を有する構成を採用する。【選択図】図１
2019136382.tif 000002
【特許請求の範囲】
【請求項１】
座部を有する椅子本体と、この椅子本体を支持する脚体とを具備した椅子であって、
前記椅子本体が、前記座部と、この座部の奥側に配された付加機能部とを備えたものであり、前記付加機能部が、椅子本来の機能とは異なった付加的機能を発揮する付加機能要素を有するものである椅子。
【請求項２】
手摺を有する壁の当該手摺より下の壁面に前記椅子本体を当接させて設置可能な椅子であって、
その当接状態での平面視において前記手摺と略重なる領域に、前記付加機能部が設けられている請求項１記載の椅子。
【請求項３】
前記付加機能部が、前記座部の座面と連続しうる位置に配されたものである請求項１又は２記載の椅子。
【請求項４】
前記付加機能部が、付加機能要素として前記座部に隣接する天板を備えたものである請求項１、２又は３記載の椅子。
【請求項５】
前記付加機能部が、付加機能要素としてコンセント装置を備えたものである請求項１、２、３又は４記載の椅子。
【請求項６】
前記付加機能部が、付加機能要素として、天板と、この天板に設けられた１又は複数のコンセント装置とを備えたものである請求項１、２又は３記載の椅子。
【請求項７】
前記コンセント装置が、接続端子を露出させた開き姿勢と、接続端子を隠蔽する閉じ姿勢との間で開閉可能なものである請求項５又は６記載の椅子。
【請求項８】
前記付加機能部が、付加機能要素として収納ボックスを備えたものである請求項１、２又は３記載の椅子。
【請求項９】
前記付加機能部が、付加機能要素として照明装置を備えたものである請求項１、２又は３記載の椅子。
【発明の詳細な説明】
【技術分野】
【０００１】
本発明は、椅子に関するものである。
【背景技術】
【０００２】
一般に、座面の高さが高い、軽く腰掛けるハイタイプの椅子においては、着座者が腰をかける座部の奥には、着座者の臀部を直接支持することのない領域が存在している。この領域は、椅子の正面に対面した者だけでなく、着座者にとってもアクセスしやすい箇所に位置しているにも関わらず、有効に利用されていないのが現状である（課題１）。
【０００３】
特に、病院や老人福祉施設等の廊下、待合室、又はホール等の壁面に沿って載置される椅子においては、前述した領域が特に広くなる。すなわち、手摺が設けられている壁面に前記椅子を押し当てて配置すると、平面視において前記手摺と重なる領域が比較的大きなデッドスペースとなる（例えば、特許文献１を参照、課題２）。
【先行技術文献】
【特許文献】
【０００４】
【特許文献１】特開２０１２−２００３２１号公報
【発明の概要】
【発明が解決しようとする課題】
【０００５】
請求項１に係る発明は、少なくとも前述した課題１を解決することを目的とする。
【０００６】
請求項２に係る発明は、前述した課題１に加え、課題２をも解消することを目的とする。
【課題を解決するための手段】
【０００７】
請求項１記載の発明に係る椅子は、座部を有する椅子本体と、この椅子本体を支持する脚体とを具備しで、前記椅子本体が、前記座部と、この座部の奥側に配された付加機能部とを備えたものであり、前記付加機能部が、椅子本来の機能とは異なった付加的機能を発揮する付加機能要素を有するものである。
【０００８】
請求項２記載の発明に係る椅子は、請求項１記載の構成のものにおいて、手摺を有する壁の当該手摺より下の壁面に前記椅子本体を当接させて設置可能であり、その当接状態での平面視において前記手摺と略重なる領域に、前記付加機能部が設けられている。
【０００９】
請求項３記載の発明に係る椅子は、請求項１又は２記載の構成のものにおいて、前記付加機能部が、前記座部の座面と連続しうる位置に配されたものである。
【００１０】
請求項４記載の発明に係る椅子は、請求項１、２又は３記載の構成のものにおいて、前記付加機能部が、付加機能要素として前記座部に隣接する天板を備えたものである。
【００１１】
請求項５記載の発明に係る椅子は、請求項１、２、３又は４記載の構成のものにおいて、
前記付加機能部が、付加機能要素としてコンセント装置を備えたものである。
【００１２】
請求項６記載の発明に係る椅子は、請求項１、２又は３記載の構成のものにおいて、前記付加機能部が、付加機能要素として、天板と、この天板に設けられた１又は複数のコンセント装置とを備えたものである。
【００１３】
請求項７記載の発明に係る椅子は、請求項５又は６記載の構成のものにおいて、前記コンセント装置が、接続端子を露出させた開き姿勢と、接続端子を隠蔽する閉じ姿勢との間で開閉可能なものである。
【００１４】
請求項８記載の発明に係る椅子は、請求項１、２又は３記載の構成のものにおいて、前記付加機能部が、付加機能要素として収納ボックスを備えたものである。
【００１５】
請求項９記載の発明に係る椅子は、請求項１、２又は３記載の構成のものにおいて、前記付加機能部が、付加機能要素として照明装置を備えたものである。
【発明の効果】
【００１６】
請求項１に係る発明によれば、少なくとも、着座者が腰をかける座部の奥の領域が有効に利用されていないという課題を解決することができる。
【００１７】
請求項２に係る発明によれば、前段で述べた課題に加え、手摺が設けられている壁面に椅子を押し当てて配置すると、平面視において前記手摺と重なる領域が比較的大きなデッドスペースとなるという課題をも解消することができる。
【図面の簡単な説明】
【００１８】
【図１】本実施形態に係る椅子を示す平面図。
【図２】図１におけるＡ−Ａ線に沿った拡大断面図。
【図３】同実施形態に係る椅子を示す分解斜視図。
【図４】同実施形態に係る椅子を示す分解斜視図。
【図５】同実施形態に係る椅子の使用態様を示す斜視図。
【図６】同実施形態に係る椅子の使用態様を示す斜視図。
【図７】同実施形態に係る椅子の使用態様を示す側面図。
【図８】同実施形態に係る椅子の使用態様を示す側面図。
【図９】本発明の他の実施形態に係る椅子を示す斜視図。
【図１０】本発明の他の実施形態に係る椅子を示す側面図。
【図１１】本発明の他の実施形態に係る椅子を示す側面図。
【図１２】本発明の他の実施形態に係る椅子を示す斜視図。
【発明を実施するための形態】
【００１９】
本発明の一実施形態を、図１〜図８を参照しつつ以下に述べる。
【００２０】
本実施形態は、本発明を病院等において使用される背もたれを有しない椅子Ｃに適用した場合のものである。この椅子Ｃは、図１〜図５に示すように、座部２１を有する椅子本体１と、この椅子本体１を支持する脚体２とを具備してなる。前記椅子本体１は、前記座部２１と、この座部２１の奥側に配された付加機能部４とを備えたものであり、前記付加機能部４は、椅子Ｃ本来の機能とは異なった付加的機能を発揮する付加機能要素を有するものである。
【００２１】
この椅子Ｃは、図１及び図５〜図８に示すように、手摺Ｔを有する壁Ｗの当該手摺Ｔより下の壁面Ｗａに前記椅子本体１を当接させて設置可能な長椅子形態をなすものであって、図１に示すように、その当接状態での平面視において前記手摺Ｔと略重なる領域Ｒに、前記付加機能部４が設けられている。
【００２２】
詳述すれば、前記椅子本体１は、図１〜図８に示すように、座部２１を有する座構造体３と、この座構造体３に取り付けられた付加機能部４とを備えたものである。
【００２３】
前記座構造体３は、図２〜図５に示すように、座部２１と取付部２３とを有するものである。具体的には、着座者を支持する座部２１と、この座部２１の奥端から後方に延出させた取付部２３とを備えたもので、前記座部２１の上層部分及び前端部分は図示しないクッションにより構成されている。前記座部２１の下層部分は、剛性を有するフレーム状のもので、例えば前記取付部２３と一体化されている。図２では、簡略化するためクッションにより構成されている上層部分と前記フレーム状の下層部分とは、視覚上区別することなく一体に描いてある。前記座部２１の上面すなわち座面２１ａと前記取付部２３の上面２３ａとの間には段差があり、その段差が付加機能部４の付加機能要素である天板２５の厚み寸法に対応させてある。また、前記取付部２３の左右方向中央部には、前記付加機能部４の付加機能要素であるコンセント装置２７を収納するための切欠き２３ｘが設けられている。
【００２４】
前記付加機能部４は、図１〜図８に示すように、前記座部２１の座面２１ａと連続しうる位置に配されたもので、付加機能要素である天板２５と、この天板２５の中央に設けられた付加機能要素であるコンセント装置２７とを備えている。
【００２５】
前記天板２５は、図１、図５及び図６に示すように、前記座構造体３の取付部２３上に取り付けられた平面視長方形状のものであり、前記座部２１に隣接しているとともに、その上面すなわち天板面２５ａは前記座部２１の座面２１ａと面一に設定されている。この天板２５の中央部には、前記コンセント装置２７を取り付けるための取付孔２５ｘが上下に貫通させて設けられている。この取付孔２５ｘは図２及び図４に示すように前記取付部２３の切欠き２３ｘに対応させてある。
【００２６】
前記コンセント装置２７は、図１〜図５に示すように、先端面に接続端子２９ａを有するコンセント本体２９と、このコンセント本体２９の基端部を上下方向に回動可能に支持するハウジング３１とを具備してなり、前記コンセント本体２９の接続端子２９ａが前方に露出する開き姿勢（Ｏ）と、前記接続端子２９ａを隠蔽する閉じ姿勢（Ｓ）との間で開閉可能なものである。なお、図１〜図４及び図６〜図８は、このコンセント装置２７を前記開き姿勢（Ｏ）に保持した状態を示している。一方、図２の想像線及び図５は、このコンセント装置２７を前記閉じ姿勢（Ｓ）に保持した状態を示している。しかして、前記コンセント本体２９が開き姿勢（Ｏ）に保持された状態では、前記接続端子２９ａが座面２１ａよりも上に突出して露出するようになっている。また、このコンセント本体２９を下方に押圧して前記ハウジング３１内に没入させた閉じ姿勢（Ｓ）では、前記コンセント本体２９の上面２９ａが座面２１ａ及び前記天板２５の天板面２５ａと面一となり、天板２５に設けられた取付孔２５ｘが完全に塞がれるようになっている。前記ハウジング３１内には、前記コンセント本体２９を開き姿勢（Ｏ）及び閉じ姿勢（Ｓ）のいずれかに選択的に保持するための図示しない保持機構が収納されている。前記保持機構については、通常のものであるため詳細な説明を省略する。
【００２７】
以上説明した椅子本体１が、前記脚体２により所定の高さに支持されている。この脚体２は、図２〜図５に示すように、左右対をなす脚ベース５と、これら脚ベース５からそれぞれ起立させて設けた左右対をなす脚支柱６と、これら左右の脚支柱６の下部同士を接続する下フレーム７と、前記左右の脚支柱６の上部同士を接続する上フレーム８と、前記上フレーム８と前記下フレーム７との間の空間２ｓを前方から閉塞する前幕板９と、前記上フレーム８と前記下フレーム７との間の空間２ｓを後方から閉塞する後幕板１０と、前記上フレーム８に設けられこの上フレーム８の上方に前記椅子本体１を取り付けるための取付ブラケット１１とを備えている。
【００２８】
前記脚ベース５は、図２〜図５に示すように、前後方向に伸びる形態をなし、下面に高さ調節用のアジャスタ３３を備えている。
【００２９】
前記脚支柱６は、例えば角柱パイプ状のもので、図２〜図５に示すように、前記脚ベース５の中央よりやや後方寄りの部位から起立している。
【００３０】
前記下フレーム７は、例えば角柱パイプ状のもので、図２に示すように、両端部に板ナット７ａが内設されている。そして、脚支柱６の外側面から挿通させたネジｖ1を前記板ナット７ａに螺着することにより、この下フレーム７が前記両脚支柱６に固定されている。この下フレーム７の左右方向中央における上板３５及び下板３７には、図２〜図４に示すように、それぞれ配線挿通口３５ａ，３７ａが設けられている。
【００３１】
前記上フレーム８は、例えば角柱パイプ状のもので、図２に示すように、両端部に板ナット８ａが内設されている。そして、脚支柱６の外側面から挿通させたネジｖ２を前記板ナット８ａに螺着することにより、この上フレーム８が前記両脚支柱６に固定されている。
【００３２】
前記前幕板９は、図２〜図４に示すように、上縁に後方に伸びる上板３９を有するとともに、下縁に後方に伸びる下板４１を有したもので、その上板３９をネジｖ３を用いて前記上フレーム８の下面に止着するとともに、前記下板４１をネジｖ４を用いて前記下フレーム７の上面に止着している。前記下板４１の後端には、前記後幕板１０の下端部を係合させるための係合爪４３が設けられている。また、下板４１の中央部には、前記下フレーム７の配線挿通口に対応する下配線挿通口４１ａが設けられている。一方、上板３９の後端には、前記後幕板１０を取り付けるための垂下板４５が設けられており、中央部には前記後幕板１０との間の空間すなわち前記上フレーム８と前記下フレーム７との間の空間２ｓに配線を導くための上配線挿通口３９ａが切り欠いて設けられている。すなわち、前記コンセント装置２７からの配線コードは、この前幕板９の上配線挿通口３９ａを通して前記空間２ｓに導かれ、同前幕板９の下配線挿通口４１、前記下フレーム７の上板３５の配線挿通口３５ａ及び同下フレーム７の下板３７の配線挿通口３７ａを経て、床面上に導かれる。
【００３３】
前記後幕板１０は、図２〜図４に示すように、上縁に前方に伸びる上板４７を有するとともに、下縁に前方に伸びる下板４９を有している。前記上板４７の前縁には、前記前幕板９の垂下板４５にネジｖ５を用いて止着するための起立板５１が設けられている。また、前記下板４９の基端部には、前記前幕板９の係合爪４３と係合する係合孔５３が設けられている。
【００３４】
前記取付ブラケット１１は、図２〜図４に示すように、前記上フレーム８に跨座した姿勢で固設されたもので、上縁に取付用の水平板５５を備えている。そして、この水平板５５上に椅子本体１を載設した状態で前記水平板５５を貫通させたネジｖ６を前記座構造体３の下面に埋設された図示しない埋設ナットに螺着することによりこの脚体２と前記椅子本体１とを結合している。
【００３５】
本実施形態の椅子Ｃは、単独で通常の長椅子として使用することができるだけでなく、図５に示すように、病院等の廊下、待合室、又はホール等の壁面Ｗａに沿って配置することも可能である。手摺Ｔを有する壁面Ｗａに沿ってこのような椅子Ｃを配置した場合、座部２１には手摺Ｔが存在していても問題なく着座することができる。また、その手摺Ｔの下に形成されるスペースには、付加機能要素である天板２５及びコンセント装置２７が配置されることになるため、無駄な空間が発生することもない。そして、このように椅子Ｃを配置しておけば、図６に示すように、ナースカートＮ１、Ｎ２を前記椅子Ｃに向けて前進させて接近させたり、後退させて接近させたりすることができ、後述するように、ナースステーションに備えられる電源コンセント付きピットと同様の機能を有する家具として当該椅子Ｃを種々の態様で利用することができる。
【００３６】
このような構成のものであれば、座部２１の奥に存在する領域すなわち平面視において手摺Ｔの下に位置する領域Ｒに椅子本体１の機能とは異なった機能を有する付加機能要素である天板２５及びコンセント装置２７を設けているので、デッドスペースとなるべき空間を有効に利用することができる。
【００３７】
しかも、このような態様でコンセント装置２７を配すれば、この椅子Ｃに前記電源コンセント付きピットと同様の機能を有する家具としての機能を発揮させることができる。すなわち、ナースカートＮ１、Ｎ２に搭載されたパーソナルコンピュータ（以下、ＰＣと称する）等の機器は、ナースステーションに設置された前記電源コンセント付きピットに集合させ、そこで充電や各種の入力操作を行っているが、椅子Ｃの使いやすい箇所にコンセント装置２７を設けておき、この椅子Ｃを前述したように配置しておけば、この椅子Ｃが置かれた廊下などが前記電源コンセント付きピットを備えたナースステーションと同様の役割を発揮することになる。そのため、患者に対する直接看護の機会をより増すことができる。
【００３８】
また、この実施形態では、コンセント装置２７を開閉式のものにしているので、使用する際だけコンセント装置２７を開き姿勢（Ｏ）にしてＰＣ等の電源コードＣ２を接続すればよく、非使用時にはコンセント装置２７を閉じ姿勢（Ｓ）にしておけば、コンセント装置２７の接続端子２９ａに埃等が付着することや飲み物がかかることを防ぐことができる。
【００３９】
さらに、図７に示すようにナースカートＮ１を前進させてこの椅子Ｃに接近又は衝き当て、従来通りの立ち姿勢で入力作業を行うことができるだけでなく、図８に示すようにナースカートＮ２を後退させてこの椅子Ｃに接近させ、前記椅子Ｃに着座した姿勢でナースカート上のＰＣ等にアクセスすることもできる。
【００４０】
加えて、この実施形態では、コンセント装置２７を天板２５の中央に設けているので、使用者が立ち姿勢、着座姿勢のいずれであっても、この椅子Ｃに２台のナースカートを同時に接近させて使用することができる。
【００４１】
そして、この実施形態では、前記座部２１の前端部分をクッションにより構成しているので、誤ってナースカートＮ１、Ｎ２のトレーが接触した際に、座部２１が緩衝材として機能するのでナースカートＮ１、Ｎ２が受ける衝撃を最小限に留めることができる。
【００４２】
なお、本発明は以上に述べた実施形態に限らない。
【００４３】
例えば、上述した実施形態の椅子は、２人掛けのものであるが、１人掛けの椅子や、３人掛け以上の椅子に本発明を適用してもよい。また、上述した実施形態の椅子は、付加機能部の付加機能要素としてコンセント装置を１つのみ有するが、付加機能要素としてコンセント装置を複数設けるようにしてもよい。図９に示す椅子Ｃ２は、３人掛けのもので、付加機能要素としてコンセント装置２７を２つ有する。この椅子Ｃ２は、３人掛けでありコンセント装置２７を２つ有する以外は上述した実施形態の椅子Ｃと同様の構成を有し、また、コンセント装置２７も上述した実施形態の椅子Ｃにおけるものと同様の構成を有するので、各部位には上述した実施形態の椅子Ｃにおけるものと同一の符号を付し、説明を省略する。
【００４４】
また、上述した実施形態の椅子は、床面に脚体を単に載置するようにしたものであるが、図１０に示す椅子Ｃ３のように、脚体をアンカーボルト７１等により固定するようにしてもよい。この場合、脚支柱６を後端近傍に配し、脚ベース５の前端が座部２１の前端よりも後方に位置する構成を採用してもよい。このようなものであれば、ナースカートとともに用いる際に、ナースカートをこの椅子Ｃ３のより後方の部位まで進入させることができる。その上、脚ベース５にナースカートがぶつかったり、脚ベース５に人がつまづいたりすることを防ぐこともできる。この椅子Ｃ３は、脚ベース５の長さ、脚支柱６の位置、及び脚体の床面に対する設置態様以外は上述した実施形態の椅子Ｃにおけるものと同様の構成を有するので、各部位には上述した実施形態の椅子Ｃにおけるものと同一の符号を付し、説明を省略する。
【００４５】
さらに、付加機能要素として、前記実施形態のもの、すなわち天板及びコンセント装置に限らず、椅子本来の機能とは異なった機能を発揮するものであればどのようなものでもよい。例えば、図１１に示すように付加機能要素として天板２５、及び蓋体８１ａを有する収納ボックス８１を備えた椅子Ｃ４や、図１２に示すように付加機能要素として透光性を有する天板８５及びこの天板８５の下方に配された照明装置８３を備えた椅子Ｃ５が考えられる。なお、これらの椅子Ｃ４、Ｃ５は、付加機能要素以外は上述した実施形態の椅子Ｃにおけるものと同様の構成を有するので、各部位には上述した実施形態の椅子Ｃにおけるものと同一の符号を付し、説明を省略する。また、前記椅子Ｃ４における天板を省略し、幅方向全域にわたって収納ボックスを配する態様や、前記椅子Ｃ５において透光性を有する天板を幅方向中央にのみ配しその他の部位には通常の天板を配する態様等、種々変形してもよく、これら収納ボックスや照明装置以外の付加機能要素を設けるようにしてももちろんよく、付加機能要素として天板のみを有する態様を採用してももちろんよい。
【００４６】
一方、上述した実施形態の椅子Ｃは、病院等の廊下、待合室、又はホール等における手摺を有する壁面に当接させて配置した際に、その当接状態での平面視において前記手摺と略重なる領域に付加機能部が設けられているが、付加機能部の位置や奥行き寸法は任意に設定してよい。但し、上述した実施形態の椅子Ｃの構成によれば、前述したように、デッドスペースとなるべき空間を有効に利用することができる。
【００４７】
加えて、上述した実施形態の椅子Ｃは、付加機能部が、座部の座面と連続しうる位置に配されているが、付加機能部と座部との間に段差や隙間が存在する構成を採用してももちろんよい。但し、上述した実施形態の椅子Ｃの構成によれば、座面と、付加機能部の上面（天板面）とを面一に設定していることにより、外観を整えるだけでなく、天板と座面とにまたがって物品を載置できるといった効果を得ることができる。
【００４８】
その他、本発明の趣旨を損ねない範囲で種々に変形してよい。
【符号の説明】
【００４９】
Ｃ…椅子
１…椅子本体
２…脚体
４…付加機能部
２１…座部
２１ａ…座面
２５…付加機能要素（天板）
２７…付加機能要素（コンセント装置）
８１…収納ボックス
８３…照明装置
（Ｏ）…開き姿勢
（Ｓ）…閉じ姿勢
【図１】
2019136382.tif 000003
【図２】
2019136382.tif 000004
【図３】
2019136382.tif 000005
【図４】
2019136382.tif 000006
【図５】
2019136382.tif 000007
【図６】
2019136382.tif 000008
【図７】
2019136382.tif 000009
【図８】
2019136382.tif 000010
【図９】
2019136382.tif 000011
【図１０】
2019136382.tif 000012
【図１１】
2019136382.tif 000013
【図１２】
2019136382.tif 000014